(57)【要約】      （修正有）【課題】凍結溶媒によって凍結させた被凍結物の外面に付着した凍結溶媒を安全に、且つ効率的に除去することが可能な冷凍装置及び冷凍方法を提供する。【解決手段】被凍結物を凍結溶媒に浸漬することにより凍結させる冷凍装置１であって、上部開口を有し、内部に凍結溶媒を貯留する凍結液槽２と、凍結液槽２の槽内と槽上との間で昇降自在に設けられた昇降枠３と、被凍結物の収容空間を有し、昇降枠３に保持された状態で凍結溶媒に浸漬されるかご４と、昇降枠３から取り出したかご４を載置可能な液切り台６と、を備え、かご４は、収容空間に被凍結物を出し入れするための開口部４ａと、被凍結物を載置可能な、通液性を有する載置部と、かご４を載置部が水平となる第１状態から略９０°傾けた第２状態で被凍結物を支持する、通液性を有する支持部４ｂ、４ｅと、を有する。【選択図】図８
2019011889.tif 000002
【特許請求の範囲】
【請求項１】
被凍結物を凍結溶媒に浸漬することにより凍結させる冷凍装置であって、
上部開口を有し、内部に前記凍結溶媒を貯留する凍結液槽と、
前記凍結液槽の槽内と槽上との間で昇降自在に設けられた昇降枠と、
前記被凍結物の収容空間を有し、前記昇降枠に保持された状態で前記凍結溶媒に浸漬されるかごと、
前記昇降枠から取り出した前記かごを載置可能な液切り台と、を備え、
前記かごは、前記収容空間に前記被凍結物を出し入れするための開口部と、前記被凍結物を載置可能な、通液性を有する載置部と、前記かごを前記載置部が水平となる第１状態から略９０°傾けた第２状態で前記被凍結物を支持する、通液性を有する支持部と、を有する、冷凍装置。
【請求項２】
前記支持部は、前記第２状態で前記被凍結物を下方から支持する下方支持部と、側方から支持する側方支持部とを有する、請求項１に記載の冷凍装置。
【請求項３】
前記かごは略直方体状であり、前記開口部に対向する面に設けられた奥壁と、前記第１状態において該かごの下面を構成する通液性を有する底壁と、上面を構成する天壁と、左右両側の側面を構成する一対の側壁と、を有する、請求項１または２に記載の冷凍装置。
【請求項４】
前記かごは、前記底壁と前記天壁との間に配置された棚板状の区画壁を有する、請求項３に記載の冷凍装置。
【請求項５】
前記かごは、前記収容空間を幅方向に区画する仕切りを有する、請求項１〜４の何れか一項に記載の冷凍装置。
【請求項６】
前記かごは、前記側壁から外側に突出する取手部を有する、請求項３に記載の冷凍装置。
【請求項７】
被凍結物を凍結溶媒に浸漬することにより凍結させる冷凍方法であって、
かごにおける被凍結物の収容空間に設けた載置部に、被凍結物を載置する投入工程と、
凍結液槽に貯留された凍結溶媒に、前記被凍結物が載置された前記かごを浸漬する浸漬工程と、
前記凍結液槽から前記かごを引き上げる引き上げ工程と、
前記凍結液槽から引き上げた前記かごを、前記載置部が水平となる第１状態から略９０°傾けた第２状態で液切り台に配置して該被凍結物に付着した凍結溶媒を落下させる液切り工程と、を含む、冷凍方法。
【発明の詳細な説明】
【技術分野】
【０００１】
本発明は、液体の凍結溶媒に被凍結物を浸漬して冷凍する液体冷却式の冷凍装置及び冷凍方法に関する。
【背景技術】
【０００２】
従来、例えば食品等の被凍結物を冷却して凍結させる手法として、液体冷却式の冷凍装置及び冷凍方法が知られている。具体的には例えば、−２０℃〜−３５℃程度の液体の凍結溶媒（エタノール溶液等）にパック詰め食品等の被凍結物を浸漬させて急速に被凍結物を冷却する。これにより、最大氷結晶生成温度帯（０℃〜−５℃）を短時間で通過させることができるので、被凍結物を、細胞破壊や身割れ（クラック）の発生を抑制しながら凍結させることができる。
【０００３】
そして、この様な液体冷却式の冷凍装置としては、凍結溶媒を貯留した凍結液槽と、凍結液槽の上部開口を通して液槽内に進入可能なカーゴ（昇降枠）と、を備え、昇降枠内に設けた棚板に被凍結物を並べて載置した状態で、昇降枠を凍結液槽内に降下させ、被凍結物を凍結溶媒に浸漬させる構成のものが知られている（例えば、特許文献１参照）。
【先行技術文献】
【特許文献】
【０００４】
【特許文献１】特許第４２８２４５４号公報
【発明の概要】
【発明が解決しようとする課題】
【０００５】
ところで、被凍結物を凍結液槽内で凍結させた後、凍結液槽から引き上げた被凍結物には、その外面に凍結溶媒が付着している。特に、扁平なパック詰め食品等の被凍結物が、水平状態（横置き）でトレイ又はかご等に載置されている場合には、広い面積を有する上面及び下面に、凍結溶媒が比較的多く残留することとなる。しかしながら、このような液体冷却式の冷凍方法に用いる凍結溶媒は、非常に温度が低いため、作業者の手に直接触れることは安全上望ましくない。また、凍結させた被凍結物を箱詰めする場合、被凍結物に付着した凍結溶媒によって箱が濡れてしまうと、箱の強度低下につながる虞がある。また、凍結溶媒にアルコールが含まれている場合には、アルコール臭が箱に残ってしまうという問題もある。
【０００６】
このような問題を解消するため、従来は、被凍結物を梱包する前に、被凍結物の表面に付着した凍結溶媒を布等により手作業で拭き取ったり、エアブロー処理により吹き飛ばしたりしていた。
【０００７】
しかしながら、凍結溶媒を拭き取る作業は手間が掛かる上に、凍結溶媒が作業者の手に触れる虞もある。また、エアブロー処理を行う場合には、凍結溶媒が周囲に飛散してしまうという問題がある。また、被凍結物の表面に付着した凍結溶媒を拭き取り作業又はエアブロー処理等により除去する場合、凍結液槽の凍結溶媒が徐々に外部に持ち出されて減少することとなり、凍結溶媒の補充が頻繁に必要になるという問題もある。
【０００８】
それゆえ本発明は、凍結溶媒によって凍結させた被凍結物の外面に付着した凍結溶媒を安全に、且つ効率的に除去及び回収することによって、ランニングコストの低減が可能な冷凍装置及び冷凍方法を提供することを目的とする。
【課題を解決するための手段】
【０００９】
本発明は、上記課題を解決するためになされたものであり、本発明の冷凍装置は、被凍結物を凍結溶媒に浸漬することにより凍結させる冷凍装置であって、
上部開口を有し、内部に前記凍結溶媒を貯留する凍結液槽と、
前記凍結液槽の槽内と槽上との間で昇降自在に設けられた昇降枠と、
前記被凍結物の収容空間を有し、前記昇降枠に保持された状態で前記凍結溶媒に浸漬されるかごと、
前記昇降枠から取り出した前記かごを載置可能な液切り台と、を備え、
前記かごは、前記収容空間に前記被凍結物を出し入れするための開口部と、前記被凍結物を載置可能な、通液性を有する載置部と、前記かごを前記載置部が水平となる第１状態から略９０°傾けた第２状態で前記被凍結物を支持する、通液性を有する支持部と、を有することを特徴とする。
【００１０】
なお、本発明の冷凍装置にあっては、前記支持部は、前記第２状態で前記被凍結物を下方から支持する下方支持部と、側方から支持する側方支持部とを有することが好ましい。
【００１１】
また、本発明の冷凍装置にあっては、前記かごは略直方体状であり、前記開口部に対向する面に設けられた奥壁と、前記第１状態において該かごの下面を構成する通液性を有する底壁と、上面を構成する天壁と、左右両側の側面を構成する一対の側壁と、を有することが好ましい。
【００１２】
また、本発明の冷凍装置にあっては、前記かごは、前記底壁と前記天壁との間に配置された棚板状の区画壁を有することが好ましい。
【００１３】
また、本発明の冷凍装置にあっては、前記かごは、前記収容空間を幅方向に区画する仕切りを有することが好ましい。
【００１４】
また、本発明の冷凍装置にあっては、前記かごは、前記かごは、前記側壁から外側に突出する取手部を有することが好ましい。
【００１５】
また、本発明の冷凍方法は、被凍結物を凍結溶媒に浸漬することにより凍結させる冷凍方法であって、
かごにおける被凍結物の収容空間に設けた載置部に、被凍結物を載置する投入工程と、
凍結液槽に貯留された凍結溶媒に、前記被凍結物が載置された前記かごを浸漬する浸漬工程と、
前記凍結液槽から前記かごを引き上げる引き上げ工程と、
前記凍結液槽から引き上げた前記かごを、前記載置部が水平となる第１状態から略９０°傾けた第２状態で液切り台に配置して該被凍結物に付着した凍結溶媒を落下させる液切り工程と、を含むことを特徴とする。
【発明の効果】
【００１６】
本発明によれば、凍結溶媒によって凍結させた被凍結物の外面に付着した凍結溶媒を安全に、且つ効率的に除去することが可能な冷凍装置及び冷凍方法を提供することができる。
【図面の簡単な説明】
【００１７】
【図１】本発明の一実施形態に係る冷凍装置を示す側面図である。
【図２】被凍結物の一例を示す斜視図である。
【図３】本発明の冷凍装置におけるかごの一例を示す斜視図である。
【図４】図３のかごの各収容空間に被凍結物を載置した状態を示す斜視図である。
【図５】図４のかごの側面視での断面図である。
【図６】図１の冷凍装置における投入台の一例を示す側面図である。
【図７】図１の冷凍装置を用いて、被凍結物を凍結溶媒に浸漬する様子を示す側面図である。
【図８】図１の冷凍装置における凍結液槽から引き上げたかごを液切り台の上に載せる様子を示す側面図である。
【図９】液切り台から取出し台にかごを移動させる様子を示す側面図である。
【図１０】図９の取出し台に載せたかごから被凍結物を取り出す様子を示す側面図である。
【発明を実施するための形態】
【００１８】
以下に、図面を参照しつつ、本発明の実施の形態について例示説明する。図１に示す冷凍装置１は、液体の凍結溶媒（ブライン）Ｂが貯留された凍結液槽２と、凍結液槽２の槽内と槽上を昇降自在に設けられた昇降枠３と、被凍結物Ａを収容した状態で昇降枠３に配置される複数のかご４と、を備える。
【００１９】
図１に示すように冷凍装置１は、被凍結物Ａをかご４に投入する投入工程の作業効率を高めるために、かご４を置くための投入台５を備えていてもよい。図２にも示す投入台５は、かご４を載置する天板５ａを備えている。天板５ａは、例えば、複数本の長尺状のレール部材を、相互に間隔を空けて平行に並べたものとすることができるが、これに限られず、単純な平板としてもよい。天板５ａは、かご４をスライドさせ易いように、平坦であることが好ましい。また、投入台５は、車輪５ｂを備え、移動自在に構成されている。これにより、かご４に被凍結物Ａを投入する投入工程を、凍結液槽２から離れた位置でも行うことができる。
【００２０】
ここで、被凍結物Ａは、特に限定されないが、例えばパック詰め食品とすることができる。パック詰め食品とは、例えば、食肉、魚肉、または、ちくわ、天ぷら、団子、蒲鉾等の加工品を、所定量ずつまとめてパックしたものである。また、当該パック詰め食品は、例えば、扁平な略直方体の形状とすることができる。図２は、被凍結物Ａの一例を示しており、２０本のちくわを全て平行に並べた状態でパック詰めしたものである。また図示例では、ちくわが、幅方向に１０本、上下に２段重ねた状態でパック詰めされており、被凍結物Ａは、その幅Ｗ１及び奥行Ｄ１に比べて厚さＴ１が小さい扁平な直方体状となっている。
【００２１】
また、凍結溶媒Ｂとしては、使用する温度範囲において液体の状態を維持するものであれば特に限定されるものではないが、例えばエチルアルコールやメチルブタンとすることができる。凍結溶媒Ｂの温度は、例えば、−２０℃〜−３５℃の範囲内とすることができるが、これに限られるものではなく、被凍結物Ａを冷却して凍結させることができれば、−２０℃よりも高い温度であってもよいし、−３５℃よりも低い温度であってもよい。
【００２２】
図１に示す凍結液槽２は、昇降枠３が進入可能な矩形の上部開口２ａを有する有底角筒状の槽であり、内部の貯留空間に凍結溶媒Ｂを貯留している。また、図示は省略するが、凍結液槽２は、冷却及び加熱機能を有する温度調整手段を備えており、貯留空間に貯留された凍結溶媒Ｂの温度を所望の温度に調整し、維持することができるよう構成されている。また、凍結液槽２には、貯留された凍結溶媒Ｂを撹拌するための撹拌手段を設けることも可能である。
【００２３】
昇降枠３は、凍結液槽２の上方に設けられており、駆動手段（図示省略）により鉛直方向（上下方向）に昇降自在に構成されている。また、昇降枠３は、かご４を載置するための棚板部３ａを有しており、本例では、棚板部３ａが上下二段構成で配置されている。棚板部３ａは通液性を有することが好ましく、例えば金網で構成してもよいし、凍結溶媒Ｂが通過可能な孔が形成された板で構成してもよい。棚板部３ａは、昇降枠３の下降に伴い、凍結液槽２の上部開口２ａから凍結液槽２の内部に進入し、凍結溶媒Ｂに浸漬される構成となっている。なお、昇降枠３は、かご４を保持可能な保持手段（本例では棚板部３ａ）を有していれば特に形状は限定されない。例えば、棚板部３ａの代わりに、保持手段として、かご４の金網部分に引っ掛けて当該かご４を保持するフック手段等を設けてもよい。
【００２４】
かご４は、少なくとも１つの収容空間Ｓを有する。図３、４、５は、かご４の一例を示している。図３、４に示すかご４は、４つの収容空間Ｓを有している。かご４は、それぞれの収容空間Ｓに被凍結物Ａを出し入れするための開口部４ａを有する。なお、図４、５は、かご４の収容空間Ｓのそれぞれの載置部（後述する底壁４ｄ及び区画壁４ｆ）に被凍結物Ａを載置した状態を示している。
【００２５】
本例では、金網などの通液性を有する部材により略直方体状に形成されたかご４の一方の面に開口部４ａが設けられており、開口部４ａに対向する面に奥壁４ｂ（図５参照）が設けられている。かご４は、図３、４に示すように載置部が水平となる第１状態で、開口部４ａに隣接する左右両側の側面を構成する一対の側壁４ｃと、下面を構成する（接地面となる）底壁４ｄと、上面を構成する天壁４ｅと、を有する。なお、図３、４は、載置部が水平となるように、開口部４ａを正面に向けた状態を示している。
【００２６】
また、かご４は、底壁４ｄと天壁４ｅとの間で、相互に間隔を空けて配置された棚板状の区画壁４ｆを有する。本例においては、３枚の区画壁４ｆが設けられており、かご４の内部に４つの収容空間Ｓを区画形成している。区画壁４ｆは、金網等の通液性を有する部材により形成されている。
【００２７】
図４に示すように、本例のかご４の各収容空間Ｓには、幅方向に３つの被凍結物Ａを並べて配置することができる。ここで、収容空間Ｓを幅方向に区画する仕切りを設けてもよく、この場合、被凍結物Ａが収容空間Ｓの内部において幅方向（左右方向）に移動することを規制することができるので、複数の被凍結物Ａが幅方向の何れかに偏ったり、複数の被凍結物Ａが重なったりすることを防止することができる。なお、仕切りは、例えば金網等の通液性を有する部材とすることが好ましい。また、収容空間Ｓの幅Ｗ２は、被凍結物Ａの１つ分の幅Ｗ１以上であれば特に限定されない。
【００２８】
また、各収容空間Ｓの奥行Ｄ２は、被凍結物Ａの１つ分の奥行Ｄ１に対応している。すなわち、かご４は、収容空間Ｓの奥行Ｄ２が、被凍結物Ａの奥行Ｄ１よりもわずかに大きくなるように構成されている。収容空間Ｓの奥行Ｄ２は、被凍結物Ａの奥行Ｄ１以上であり、且つ、被凍結物Ａの奥行Ｄ１の１．２倍以下であることが好ましい。このような構成とすることで、図９、１０に示すように、開口部４ａが上を向くようにかご４を配置した第２状態において、収容空間Ｓから被凍結物Ａを容易に取り出すことができる。また、各収容空間Ｓの高さＴ２は、被凍結物Ａの厚さＴ１よりも大きく、被凍結物Ａの奥行Ｄ１よりも小さければ特に限定されないが、収容空間Ｓに対する被凍結物Ａの出し入れを容易にする観点から、被凍結物Ａの厚さＴ１の２倍以上であることが好ましい。また、各収容空間Ｓの高さＴ２は、図９、１０に示すようにかご４を第２状態で配置した際に被凍結物Ａが適切な起立姿勢を維持できるように、被凍結物Ａの厚さＴ１の３倍以下であることが好ましい。このような構成とすることで、起立姿勢とした被凍結物Ａを底壁４ｄ、区画壁４ｆ、及び天壁４ｅの何れかによって側方から支持できるので、水平姿勢となることをより確実に抑制することができる。
【００２９】
なお、図３に示すように、本例のかご４の両側の側壁４ｃには、幅方向外側に突出する平板状の突片４ｇが設けられており、突片４ｇには、係合孔４ｈが形成されている。昇降枠３からかご４を引き出す際に、突片４ｇにフック状の治具等を引っ掛けて引き出すことで、昇降枠３の棚板部３ａの奥側に位置するかご４を容易に取り出すことができる。また、突片４ｇは、かご４を昇降枠３の棚板部３ａに載置する際、及び棚板部３ａからかご４を引き出す際に、突片４ｇが昇降枠３の左右の柱等に引っ掛からないようにするための面取り部４ｉが設けられている。突片４ｇは、図３に示す第１状態において、平面視で三角形状または台形状等とすることができる。なお、本例では、突片４ｇがそれぞれの側壁４ｃに、奥行方向に２つずつ設けられているが、その数、形状、及び位置は適宜変更可能である。また、突片４ｇは必須の構成ではない。
【００３０】
また、図３に示すように、本例のかご４の両側の側壁４ｃには、幅方向外側に突出する平板状の取手部４ｊが設けられている。取手部４ｊは、突片４ｇに対して垂直な方向に延在している。取手部４ｊは、かご４を第１状態から第２状態に傾ける際に把持することで、かご４を傾ける操作を容易にするための部材である。なお、突片４ｇを把持してかご４を傾けることも可能である。すなわち、突片４ｇも取手部として機能し得る。また、図示例において取手部４ｊは左右それぞれ１つずつ形成され、正面視で長方形の形状を有しているが、その数、形状、及び位置は適宜変更可能である。また、取手部４ｊは必須の構成ではない。
【００３１】
以下に、被凍結物Ａの冷凍方法の一例について説明する。本発明の冷凍方法は、かご４の収容空間Ｓに被凍結物Ａを水平姿勢で載置する投入工程と、凍結液槽２に貯留された凍結溶媒Ｂにかご４を浸漬する浸漬工程と、凍結液槽２からかご４を引き上げる引き上げ工程と、引き上げたかご４を被凍結物Ａが起立姿勢となるように液切り台６に配置する液切り工程と、を含む。
【００３２】
ここで「水平姿勢」とは、被凍結物Ａが全体として略水平方向に延在する、所謂「横置き」の姿勢を意味するものであり、厳密に特定の面が水平方向に延在している必要はない。例えば、図２に示すように、幅Ｗ１及び奥行Ｄ１よりも厚さＴ１が小さい扁平形状の被凍結物Ａを水平姿勢とした場合には、幅方向及び奥行方向が略水平方向に延在し、厚さ方向が略鉛直方向に延在することとなる。また、「起立姿勢」とは、被凍結物Ａが全体として略鉛直方向に延在する、所謂「縦置き」の姿勢を意味するものであり、厳密に特定の面が鉛直方向に延在している必要はない。例えば、幅Ｗ１及び奥行Ｄ１よりも厚さＴ１が小さい扁平形状の被凍結物Ａを起立姿勢とした場合には、厚さ方向が略水平方向に延在し、幅方向又は奥行方向が略鉛直方向に延在することとなる。すなわち、扁平な被凍結物Ａを起立姿勢とした場合、面積の大きな面が水平方向ではなく鉛直方向に近い角度で延在することとなる。
【００３３】
ここで、図６は、投入台５の天板５ａに、かご４を第１状態で載せて、投入工程を行う様子を示す側面図である。投入工程では、被凍結物Ａの載置部としての区画壁４ｆ及び底壁４ｄ（図３参照）に、被凍結物Ａを水平姿勢で載置する。被凍結物Ａを水平姿勢で載置することにより、被凍結物Ａを、広い面積を有する面を下面として接地させることになるため、安定した状態で区画壁４ｆおよび底壁４ｄに載置することができる。投入工程では、先ず、投入台５に１つ目のかご４を載せて、そのかご４の全ての収容空間Ｓに被凍結物Ａを投入し終えてから、そのかご４を奥側にスライドさせ、２つ目のかご４を投入台５に載せて被凍結物Ａを投入していく。また、２つ目のかご４の全ての収容空間Ｓに被凍結物Ａを投入し終えてから、１つ目と２つ目のかご４を奥側にスライドさせ、３つ目のかご４を投入台５に載せて被凍結物Ａを投入していく。このようにして、それぞれのかご４に順番に被凍結物Ａを投入していくことで、被凍結物Ａが投入された複数のかご４を投入台５の奥行方向に並べて配置することができ、昇降枠３に複数のかご４をまとめて載せることができる。なお、図６に示す例では、投入台５の奥行方向に４つのかご４が並べて配置されているが、これに限らず、３つ以下、または５つ以上のかご４を配置するようにしてもよい。
【００３４】
なお、投入工程は、図６に示すように、かご４を投入台５の上面に載せた状態で行うことが好ましいが、これに限定されず、昇降枠３の棚板部３ａにかご４を載せた状態で行ってもよい。また、図６に示すようにかご４の第１状態で投入工程を行うことで、収容空間Ｓの載置部（区画壁４ｆ及び底壁４ｄ）に被凍結物Ａを載置する作業が容易となる。
【００３５】
投入工程の後、図１に示すように、被凍結物Ａを保持したかご４を昇降枠３の棚板部３ａに載せて、図７に示すように浸漬工程を行う。本例では、図６に示す投入台５を凍結液槽２の前まで移動させる際に、かご４の開口部４ａが凍結液槽２側を向くようにしている。これにより、後述する液切り工程の際に、かご４を手前側に略９０°傾ける（倒す）ことで、かご４を開口部４ａが上向きとなる第２状態に配置することができる。なお、被凍結物Ａを保持したかご４を昇降枠３の棚板部３ａに載せる方向は逆向きでもよい。つまり、かご４の奥壁４ｂが凍結液槽２側を向くようにしてもよい。
【００３６】
また、本例では、図１に示すように、投入台５の高さが凍結液槽２の天板と同じ高さに設定され、昇降枠３の棚板部３ａも同一の高さに保持され、投入台５から昇降枠３の棚板部３ａまでかご４を奥側に押し込んでスライドさせることができるように構成されている。このような構成とすることにより、かご４を持ち上げることなく投入台５から昇降枠３に移動させることができるので、安全且つ容易にかご４の移動作業を行うことができる。
【００３７】
なお、本例では、図７に示すように、昇降枠３の上下の棚板部３ａにそれぞれ、奥行方向に４つのかご４を並べて配置しているが、棚板部３ａへのかご４の配置状態については特に限定されない。また、本例では、上段の棚板部３ａにかご４を載せた後に下段の棚板部３ａにかご４を載せるようにしているが、この順番は逆でもよい。なお、本例においては、投入工程から浸漬工程を終えるまでの過程で、被凍結物Ａは水平姿勢を維持しているが、当該過程において被凍結物Ａの姿勢が傾いてもよい。
【００３８】
浸漬工程において、図７に示すように、かご４内の全ての被凍結物Ａが、凍結溶媒Ｂ内に浸漬した状態になるまで昇降枠３を凍結液槽２内に降下させる。被凍結物Ａは、凍結溶媒Ｂ内で冷却され、時間の経過とともに凍結していく。所望の凍結状態となるまで、被凍結物Ａを凍結溶媒Ｂに浸漬させた状態で維持することで、浸漬工程が完了する。すなわち、浸漬工程において、被凍結物Ａが冷凍される。
【００３９】
ついで、引き上げ工程において、昇降枠３を上昇させて、被凍結物Ａが載置されたかご４を凍結液槽２から引き上げる。その後、昇降枠３の棚板部３ａからかご４を手前側にスライドさせるようにして引き出す。
【００４０】
そして、液切り工程において、図８に示すように、棚板部３ａから引き出したかご４を、手前側に略９０°傾けて倒しながら、液切り台６の上に配置する。かご４を傾ける際には、両側の側壁４ｃに設けられた取手部４ｊ（図３参照）を把持しながらかご４を傾けることで、操作が容易となる。これにより、かご４は、第１状態から略９０°傾いた第２状態となり、奥壁４ｂが接地面となる。なお「第２状態」とは、第１状態から厳密に９０°傾けた状態のみに限らず、第１状態から９０°傾けた状態に対して何れかの方向に僅かに傾いた状態も含む。
【００４１】
液切り台６は、かご４を載置する天板６ａを備えている。天板６ａは、かご４を下方から支持するとともに、被凍結物Ａから落下した凍結溶媒Ｂが傾斜底面６ｂに到達するように、通液性を有している。また、天板６ａは、かご４をスライドさせ易いように、液切り台６の奥行方向（図８の左右方向）に平坦であることが好ましい。天板６ａは、例えば、複数本の長尺状のレール部材を、相互に間隔を空けて平行に並べたものとすることができる。また、液切り台６は、被凍結物Ａから落下した凍結溶媒Ｂを回収するための回収手段を有している。当該回収手段は、例えば図８に示すように、液切り台６において被凍結物Ａから落下した凍結溶媒Ｂを受ける傾斜底面６ｂと、傾斜底面６ｂの下端部付近に設けられたチューブ６ｃと、このチューブ６ｃから流れてくる凍結溶媒Ｂを回収する回収容器６ｄと、で構成することができる。
【００４２】
なお、傾斜底面６ｂは、傾斜底面６ｂに滴下した凍結溶媒Ｂがチューブ６ｃに向けて流れるように、水平面に対して一方側に傾斜している。また、本例の液切り台６は、昇降自在に構成されており、かご４を載せる面の高さを所望の位置に調整することができる。これにより、液切り台６を用いて行う各作業に応じて、作業者が作業し易い高さに適宜調整できるので、作業性を高めるとともに、作業者の身体的な負担も軽減することができる。
【００４３】
さらに、本例の液切り台６は、車輪６ｅを有し、移動自在に構成されている。これにより、液切り工程を所望の位置で行うことができ、また、後述する取出し台７への移動も容易となる。
【００４４】
液切り工程を経た被凍結物Ａは、箱等に梱包することができる。本例では、図９、１０に示すように、液切り台６から取出し台７に被凍結物Ａを移動させてから、梱包工程を行う。
【００４５】
図９、１０に示す取出し台７は、かご４を載置する天板７ａを備えている。天板７ａは、かご４を下方から支持するとともに、被凍結物Ａから落下した凍結溶媒Ｂが傾斜底面６ｂに到達するように、通液性を有している。また、天板７ａは、かご４をスライドさせ易いように、取出し台７の奥行方向（図９、１０の左右方向）に平坦であることが好ましい。天板７ａは、例えば、複数本の長尺状のレール部材を、相互に間隔を空けて平行に並べたものとすることができる。
【００４６】
また、取出し台７は、被凍結物Ａから落下した凍結溶媒Ｂを回収するための回収手段を有している。当該回収手段は、例えば図９、１０に示すように、取出し台７において被凍結物Ａから落下した凍結溶媒Ｂを受ける傾斜底面７ｂと、傾斜底面７ｂの下端部付近に設けられたチューブ７ｃと、このチューブ７ｃから流れてくる凍結溶媒Ｂを回収する回収容器７ｄと、で構成することができる。
【００４７】
本例において取出し台７の天板７ａは、投入台５の天板５ａよりも低い高さに設定されている。これにより、第２状態で配置されたかご４の開口部４ａから、被凍結物Ａを上方に引き上げることが容易となり、梱包工程の作業効率を高めることができる。
【００４８】
図示例においては、かご４を、開口部４ａが上向きとなり、奥壁４ｂが接地面（下面）となるように配置している。各収容空間Ｓ内の被凍結物Ａは、下方支持部（支持部）としての奥壁４ｂによって下方から支持され、側方支持部（支持部）としての底壁４ｄ、区画壁４ｆ、及び天壁４ｅの何れか２つの壁面によって側方の両側から支持され、起立姿勢を維持することができる。
【００４９】
なお、液切り工程後の補助的な工程として、被凍結物Ａの表面に付着した凍結溶媒Ｂをより完全に除去するため、布等により拭き取ったり、エアブロー処理により吹き飛ばしたりしてもよい。
【００５０】
以上説明したように、本実施形態の冷凍方法では、凍結液槽２において凍結溶媒Ｂによって凍結された被凍結物Ａを凍結液槽２から引き上げた後、当該被凍結物Ａが起立姿勢となるようにかご４を液切り台６に配置する構成としている。ここで、被凍結物Ａが水平姿勢で凍結溶媒Ｂに浸漬され、水平姿勢のまま引き上げると、被凍結物Ａの上面及び下面には、凍結溶媒Ｂが多く残留し易いところ、被凍結物Ａを起立姿勢とすることで、当該上面及び下面が略鉛直方向に延在することとなるため、付着した凍結溶媒Ｂがスムーズに流れ落ちる。
【００５１】
このように、被凍結物Ａを起立姿勢とすることで、被凍結物Ａを水平姿勢で維持する場合に比べて、被凍結物Ａに付着した凍結溶媒Ｂを効率的に落下させることができる。すなわち、引き上げた被凍結物Ａの液切れの効率が格段に向上する。また、被凍結物Ａに直接触れることなく、かご４を第２状態で液切り台６に配置する作業のみで被凍結物Ａに付着した凍結溶媒Ｂを自動的に落下させることができるので、作業者が低温の凍結溶媒Ｂに直接触れる機会が少なくなる。このように、本実施形態の冷凍方法によれば、被凍結物Ａの外面に付着した凍結溶媒Ｂを安全に、且つ効率的に除去することが可能となる。
【００５２】
また、本実施形態では、液切り台６の天板６ａの下方に回収手段を設けることで、被凍結物Ａから落下した凍結溶媒Ｂを容易に回収することができる。回収した凍結溶媒Ｂを凍結液槽２に戻すことで、凍結液槽２から外部に持ち出される凍結溶媒Ｂの量を低減し、凍結溶媒Ｂの補充回数を低減することができる。すなわち、被凍結物Ａの表面に付着した凍結溶媒Ｂを拭き取ったり、エアブロー処理により除去したりする場合に比べて、凍結溶媒Ｂの消費量を低減することができる。
【００５３】
また、本実施形態では、移動自在な投入台５及び液切り台６を備えているため、投入工程と、液切り工程を別の場所で同時に行うことができる。これにより、被凍結物Ａを冷凍し、梱包するまでの作業効率を向上させることができる。また、本実施形態では、液切り台６とは別に取出し台７を備えているため、液切り工程と梱包工程を別の場所で同時に行うことができる。これにより、被凍結物Ａの液切りから梱包までの作業効率を向上させることができる。
【００５４】
また、液切り工程においてかご４を傾ける（倒す）方向は、被凍結物Ａが起立姿勢で支持されていれば、図８に示すような手前側に限らず、奥側でもよいし、左右の何れか一方側としてもよいが、被凍結物Ａが起立姿勢を維持できるように、下方および側方から支持されている必要がある。
【００５５】
また、本発明の冷凍装置１は、内部の温度が例えば０℃以下等の低温に維持された冷凍室内に設置されることが好ましく、これによれば、凍結溶媒Ｂ及び被凍結物Ａの温度上昇を抑えることができる。
【００５６】
前述したところは本発明の一実施形態を示したにすぎず、特許請求の範囲において、種々の変更を加えることができる。例えば、投入台５の天板５ａを昇降自在な構成としてもよく、これによれば、作業者が天板５ａを所望の高さに調整することで、被凍結物Ａのかご４への投入作業をより容易に行うことができる。同様に、取出し台７の天板７ａを昇降自在な構成としてもよく、これによれば、作業者が天板７ａを所望の高さに調整することで、被凍結物Ａの梱包作業をより容易に行うことができる。
【産業上の利用可能性】
【００５７】
かくして本発明により、凍結溶媒によって凍結させた被凍結物の外面に付着した凍結溶媒を安全に、且つ効率的に除去することが可能な冷凍装置及び冷凍方法を提供することが可能となった。
【符号の説明】
【００５８】
１    冷凍装置
２    凍結液槽
２ａ  上部開口
３    昇降枠
３ａ  棚板部
４    かご
４ａ  開口部
４ｂ  奥壁（下方支持部）
４ｃ  側壁
４ｄ  底壁（載置部、側方支持部）
４ｅ  天壁（側方支持部）
４ｆ  区画壁（載置部、側方支持部）
４ｇ  突片
４ｈ  係合孔
４ｉ  面取り部
４ｊ  取手部
５    投入台
５ａ  天板
５ｂ  車輪
６    液切り台
６ａ  天板
６ｂ  傾斜底面
６ｃ  チューブ
６ｄ  回収容器
６ｅ  車輪
７    取出し台
７ａ  天板
７ｂ  傾斜底面
７ｃ  チューブ
７ｄ  回収容器
Ａ    被凍結物
Ｂ    凍結溶媒
Ｓ    収容空間
【図１】
2019011889.tif 000003
【図２】
2019011889.tif 000004
【図３】
2019011889.tif 000005
【図４】
2019011889.tif 000006
【図５】
2019011889.tif 000007
【図６】
2019011889.tif 000008
【図７】
2019011889.tif 000009
【図８】
2019011889.tif 000010
【図９】
2019011889.tif 000011
【図１０】
2019011889.tif 000012
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
被凍結物を凍結溶媒に浸漬することにより凍結させる冷凍装置であって、
上部開口を有し、内部に前記凍結溶媒を貯留する凍結液槽と、
前記凍結液槽の槽内と槽上との間で昇降自在に設けられた昇降枠と、
前記被凍結物の収容空間を有し、前記昇降枠に保持された状態で前記凍結溶媒に浸漬されるかごと、
前記昇降枠から取り出した前記かごを載置可能な液切り台と、を備え、
前記かごは、前記収容空間に前記被凍結物を出し入れするための開口部と、前記被凍結物を水平姿勢で載置可能な、通液性を有する載置部と、前記かごを前記載置部が水平となる第１状態から前記水平姿勢の前記被凍結物が起立姿勢となるように略９０°傾けた第２状態で前記被凍結物を支持する、通液性を有する支持部と、を有し、
前記液切り台は、前記かごを前記第２状態で載置可能に構成されている、冷凍装置。
【請求項２】
前記支持部は、前記第２状態で前記被凍結物を下方から支持する下方支持部と、側方から支持する側方支持部とを有する、請求項１に記載の冷凍装置。
【請求項３】
前記かごは略直方体状であり、前記開口部に対向する面に設けられた奥壁と、前記第１状態において該かごの下面を構成する通液性を有する底壁と、上面を構成する天壁と、左右両側の側面を構成する一対の側壁と、を有する、請求項１または２に記載の冷凍装置。
【請求項４】
前記かごは、前記底壁と前記天壁との間に配置された棚板状の区画壁を有する、請求項３に記載の冷凍装置。
【請求項５】
前記かごは、前記収容空間を幅方向に区画する仕切りを有する、請求項１〜４の何れか一項に記載の冷凍装置。
【請求項６】
前記かごは、前記側壁から外側に突出する取手部を有する、請求項３に記載の冷凍装置。
【請求項７】
請求項１〜６の何れか一項に記載の冷凍装置を用いて、被凍結物を凍結溶媒に浸漬することにより凍結させる冷凍方法であって、
前記かごにおける被凍結物の収容空間に設けた前記載置部に、被凍結物を水平姿勢で載置する投入工程と、
前記凍結液槽に貯留された凍結溶媒に、前記被凍結物が載置された前記かごを浸漬する浸漬工程と、
前記凍結液槽から前記かごを引き上げる引き上げ工程と、
前記凍結液槽から引き上げた前記かごを、前記載置部が水平となる第１状態から前記水平姿勢の前記被凍結物が起立姿勢となるように略９０°傾けた第２状態で前記液切り台に配置して該被凍結物に付着した凍結溶媒を落下させる液切り工程と、を含む、冷凍方法。